(57)【要約】【課題】半径方向に圧縮可能および拡張可能なモータを提供する。【解決手段】  ステータ２、２’と軸線方向４の周りに駆動され得るロータ１、１’とを有するモータであって、ステータ２、２’およびロータ１、１’のうちの少なくとも１つ、とりわけステータは、電流を供給され得る巻線構成体を有しており、半径方向に圧縮可能および拡張可能であることを特徴とする。【選択図】図１
2019195267.tif 000002
【特許請求の範囲】
【請求項１】
ステータ（２、２’）と軸線方向（４）の周りに駆動され得るロータ（１、１’）とを有するモータであって、前記ステータ（２、２’）およびロータ（１、１’）のうちの少なくとも１つ、とりわけ前記ステータ（２、２’）は、電流を供給され得る巻線構成体（７、８、２０、２１、２２、２３、２７、２８）を有しており、半径方向に圧縮可能および拡張可能であることを特徴とするモータ。
【発明の詳細な説明】
【技術分野】
【０００１】
本発明は、機械学および電気工学の分野に関し、とりわけ有利には、マイクロメカニクスの分野で使用され得る。なかでも、医用工学における用途が、とりわけ有利である。
【背景技術】
【０００２】
導管システムの中へ、または、アクセスするのがとりわけ困難な場所に、アッセンブリを導入するときには、患者の身体の中へアッセンブリを埋め込むときと同様に、問題が起こることが多い。これは、このタイプのアッセンブリが、可能な限り幅の狭い貫通開口部または導管を通してそれらの目標位置まで持っていかれなければならないが、目標位置に到着すると、とりわけ最大寸法によって最大限の効果を提供するべきであるということに起因するものである。
【０００３】
医用工学において、この目的のために、対応するアッセンブリが、患者の身体の中へ目標場所まで導入される前に圧縮され、圧縮された状態で挿入され、次いで拡張させられるという手法を採用することが知られている。これは、拡張可能な心臓支援カテーテルポンプの場合で以前からすでに適用されており、また、埋め込み可能なステントの場合でも適用されている。非医療分野では、例として、検査クレードルが、チューブを通して送られ得、それらがより大きい空洞部に到達すると、同様に拡張させられ得、または、適切なツールもしくはセンサーを配備するために使用され得る。
【０００４】
医療分野では、これまで、駆動可能な拡張可能なアッセンブリは、埋め込まれるときに、可撓性のシャフトを用いて、身体の外側のモータによって駆動された。心臓支援血液ポンプの場合では、たとえば、ポンプロータは、可撓性のシャフトを用いて、ポートによって身体の外側のモータに接続されており、可撓性のシャフトは、血管の中の中空のカテーテルを通って延在する。たとえば可撓性のシャフトの形態のこのタイプの移送システムに対して非常に高度な要求が出されることがある。その理由は、これらの高い回転速度が、比較的に長い期間にわたって、著しい摩耗なく、通常は最適ではない潤滑条件の下で伝達されなければならないからである。したがって、このタイプの移送システムなしで済ますことができると有利であろう。
【先行技術文献】
【特許文献】
【０００５】
【特許文献１】米国特許出願公開第２０１３／１３８２０５号明細書
【特許文献２】米国特許第６０１８２０８号明細書
【発明の概要】
【発明が解決しようとする課題】
【０００６】
したがって、先行技術の背景に対して、本発明の目的は、モータが幅の狭い導管を通して輸送され得るように、モータを設計することである。
【課題を解決するための手段】
【０００７】
その目的は、請求項１による本発明の特徴によって実現される。請求項１は、本発明によるモータに関し、請求項１に従属する請求項２から１１は、本発明の有利な実施形態を指定している。請求項１２は、埋め込み式構成体に関し、請求項１３および１４は、本発明によるモータを位置決めするための方法に関する。
【０００８】
本発明によるモータは、ステータと軸線方向の周りに駆動され得るロータとを有しており、目的を実現するために、これらのうちの少なくとも１つ、とりわけステータは、電流を供給され得る巻線構成体を有しており、半径方向に圧縮可能および拡張可能である。
【０００９】
本発明の範囲内で「半径方向の圧縮性」の用語は、問題の部品の直径がモータの回転の軸線に関して少なくとも部分的に縮小され得るということを意味するように理解されるべきである。これは、均一な直径縮小のすべての可能性を含むことが可能であり、その場合において、その他の点では形状において変化することなく、単に、円筒形状の本体部の直径が変化する。しかし、また、半径方向の圧縮性は、単に１つの軸線におけるステータおよび／またはロータの直径縮小を意味するように理解され得、それは、たとえば、部品を平坦に押圧することによって、または、部品（ステータおよび／またはロータ）が異なる円形ディスクから構成されている場合には、回転の軸線に対して円形ディスクを傾けることによって、発生させられる。特定の場合では、直径は、回転の軸線に対して垂直な第１の方向に縮小されるが、直径は、第１の方向に対して垂直な方向に一定のままである。
【００１０】
電流を供給され得る巻線構成体を有するこのタイプの圧縮可能なステータは、先行技術では知られていない。本発明によれば、とりわけ、巻線構成体自体が、半径方向に圧縮可能であり得る。このタイプの巻線構成体は、導管の中へ導入される前に圧縮され得、それによって、とりわけ、ステータがモータの外径を決定するときには、モータの全体的な直径が縮小される。例として、ステータは、動作状態において、ロータを同軸に取り囲むことが可能である。この場合では、ステータの半径方向の圧縮は、モータの半径方向の圧縮と同等である。また、ステータは、ハウジングによって取り囲まれることも可能であり、たとえば、ハウジングは、弾性であることが可能であり、次いで、ステータとともに圧縮可能および拡張可能である。例として、ハウジングは、弾性フィルムから実質的に構成され得、弾性フィルムは、ステータの上に引き伸ばされる。しかし、モータがハウジングを有していないということも可能である。
【００１１】
ステータがロータを同軸に取り囲むときには、ステータの圧縮に関する可能性は、内部に配置されているロータによって、狭い制限を受ける。有利には、たとえば、ロータおよびステータが、第１の位置と第２の位置との間で相互に軸線方向に変位させられ得、第１の位置では、ステータが半径方向に圧縮可能であり、第２の位置では、ステータが半径方向に拡張させられているときに、ステータのさらなる圧縮が可能である。この場合では、ステータの圧縮のために、ロータは、最初にステータから軸線方向に滑動して出され得、次いで、ステータは、たとえば、ロータの外径まで圧縮され得る。次いで、ステータおよびロータは、導管を通して目標位置へ軸線方向に順々に滑動させられ得る。したがって、ロータ自身が圧縮可能でない場合には、ロータの外部寸法を下回ってステータのさらなる圧縮は、提供されないか、または、いくつかの例示的な実施形態では可能でない。
【００１２】
ステータおよびロータが目標位置に到着した場合には、ステータは、再び拡張させられ得、または、自動的に拡張することが可能であり、ロータは、ステータの中へ軸線方向に引き込まれ得る。
【００１３】
また、ロータがステータの中へ変位させられ、または引き込まれ、この変位移動の間に半径方向に拡張させられるという点において、ステータは、半径方向に拡張させられ得る。この目的のために、ロータは、少なくとも部分的に円錐形状に先細になる様式で形成され得る。
【００１４】
本発明のさらに有利な変形例によれば、ロータは、半径方向に圧縮可能である。ロータも半径方向に圧縮可能である場合には、変形例におけるロータは、ステータの中に残ることが可能であり、両方が、一緒に半径方向に圧縮され得、そうでなければ、ステータから外へロータを変位させ、これらの両方を互いに独立して半径方向に圧縮することも考えられる。
【００１５】
例として、この目的のために、ロータは、複数の磁石を有することが可能であり、複数の磁石は、磁石部品と称することが可能であり、複数の磁石は、とりわけ軸線方向に、相互に可逆的に移動可能である。例として、ロータは、強磁性のコアを有する永久磁石または電磁石を有することが可能であり、それらは、磁石部品としてそれぞれ指定されることとなる。磁石の個々のセグメントが相互に変位させられ得るように、そのような磁石は、磁石セグメントへとそれぞれ分割され得、半径方向への磁石の寸法の縮小によってロータの直径を縮小させるようになっている。
【００１６】
例として、少なくとも１つの磁石は、くさび形状の複数のセグメントから構成され得、くさび形状のセグメントは、一緒に、および、相手から離れるように軸線方向に押され得、また、相手から離れるように押されるときには、半径方向に考えたときに、一緒に押された状態のときよりも、全体として少ないスペースを取る。しかし、また、異なる他の平面における分割も提供され得、ロータの円周方向に、および／または、モータの半径方向に、磁石の個々のセグメントを変位させることも考えられる。また、磁石のセグメントは、磁石部品と称することが可能であり、したがって、「磁石部品」の用語は、磁石のセグメントおよび磁石全体の両方を含む。
【００１７】
説明されている磁石の移動または磁石のセグメントの移動は、直径縮小につながり、可逆的であり、ロータのその後の拡張のために簡単な様式で逆にされ得るということが重要である。
【００１８】
ステータの最も簡単な可能性のある半径方向の圧縮を可能にするために、巻線構成体は、有利には、たとえば少なくとも１つのサブ巻線を有することが可能であり、少なくとも１つのサブ巻線は、可逆的に変形可能である。例として、このタイプのサブ巻線は、弾性であることが可能であり、たとえば、弾性リードを含有することが可能であり、弾性リードは、サブ巻線の一時的な変形を可能にする。このタイプの変形は、弾性および塑性の両方であることが可能である。
【００１９】
また、巻線構成体は、少なくとも２つのサブ巻線を有しており、少なくとも２つのサブ巻線は、相互に可逆的に変位させられ得るということも可能である。たとえば、このタイプのサブ巻線は、型成形されなくてもよく、または、剛体のまたは弾性の型成形材で成形されてもよく、また、ステータの半径方向の圧縮の場合に、板葺き屋根の板のような様式で重ねられ、とりわけステータの円周方向に、一方が他方の上に滑動させられ得る。しかし、ロータがステータから除去されたとすれば、サブ巻線の枢動または回転も考えられる。
【００２０】
巻線構成体の改善された変形性に関して、巻線構成体は、たとえば、弾性材料で型成形された少なくとも１つのサブ巻線を有することが可能である。例として、サブ巻線は、エラストマーで、たとえば、シリコーンエラストマーで、または、ゴム材料で型成形され得る。また、巻線構成体のより大きいパーツは、たとえば、巻線構成体全体でも、このタイプの弾性材料で型成形され得る。
【００２１】
有効性を増加させるために、弾性マトリックスには、とりわけ外側に、強磁性の充填材が設けられ得る。
【００２２】
巻線構成体の個々のパーツがそれぞれ別々に型成形される場合には、たとえば、サブ巻線が、弾性リードを有するときに、および／または、弾性材料で型成形されるときに、弾性変形性は、これにより、変位可能性と組み合わせられることも可能である。
【００２３】
例として、巻線構成体は、形状記憶合金から構成されるリードを少なくとも部分的に有することも可能である。この場合では、サブ巻線または巻線構成体全体は、たとえば目標温度の選択的な設定によって、目標場所において、所望の形状およびサイズをとることが可能である。医学用途の場合では、合金は、たとえば、患者の体温が仮定されると巻線構成体が所望の目標形状をとるように、設定され得る。
【００２４】
相互に移動可能な複数のサブ巻線から構成される巻線構成体の場合において、繰り返される圧縮および拡張、ならびに、圧縮移動および拡張移動の再現可能な過程を確実にするために、たとえば、巻線構成体が、相互に移動可能な部品同士の間に画定される曲げ領域および／またはねじれ領域を有すると有利である可能性がある。このタイプの曲げ領域および／またはねじれ領域は、たとえば、ストランデッドワイヤーとして形成されたリードの長さ部分を提供することによって、または、とりわけ、細いリード領域によって、軟質のおよび／または可撓性のリードパーツの形態で提供され得る。
【００２５】
上記に説明されているタイプのモータの場合では、ある距離からでも、ロータおよびステータを相互に目標位置に変位させることができるようにするために、本発明は、有利には、接続部品を提供し、接続部品は、モータから離れるように延在しており、接続部品によって、ロータおよびステータは、相互に軸線方向に変位させられ得る。接続部品は、たとえばボーデンケーブルなどの様式で、典型的な操作部品として形成され得、接続部品の異なるパーツは、一方では、ステータに接続され、他方ではロータに接続され得る。
【００２６】
接続部品によって、ステータおよびロータの相対変位、ならびに、したがって、目標位置でのステータの中へのロータの引き込みが可能であり、ステータは、事前にすでに拡張させられているか、または、ステータの中へロータを引き込むことによって半径方向に拡張させられるかのいずれかである。
【００２７】
また、本発明は、中空のカテーテルと、中空のカテーテルの中に圧縮されて配置されているステータおよびロータとを有する埋め込み式構成体に関する。このタイプの埋め込み式構成体の範囲内において、半径方向に圧縮可能なモータは、中空のカテーテルの中へ簡単な形態で引き込まれ得、モータは、通常、圧縮された形態で中空のカテーテルの中に受け入れられる。次いで、中空のカテーテルは、たとえば、ポートによって患者の血管の中へ導入され、これを通して変位させられ、そして、目標位置へ連れて行かれ、たとえば、大動脈弓、心臓弁、または心室の中へ導入され得る。次いで、中空のカテーテルは後退させられ得、モータは、中空のカテーテルから滑動して出され、このプロセスの間にまたはその後に、半径方向に拡張させられる。
【００２８】
また、本発明は、上記に説明されているタイプのモータおよび埋め込み式構成体に関し、また、説明されているタイプのモータを位置決めするための方法に関し、ステータおよびロータは、導管を通して目標位置まで変位させられ、少なくともステータは、半径方向に圧縮され、少なくともステータは、その後に半径方向に拡張させられる。
【００２９】
方法の有利な実施形態によれば、ステータおよびロータが目標位置へと変位させられると、ステータおよびロータは、相互に軸線方向に変位させられる。
【００３０】
また、本発明は、モータを含有するポンプ、とりわけ、血液ポンプに関し、モータは、ステータと軸線方向の周りに駆動され得るロータとを有しており、これらのうちの少なくとも１つ、とりわけステータは、電流を供給され得る巻線構成体を有しており、半径方向に圧縮可能および拡張可能である。ここで、モータおよびポンプは、有利には、互いにしっかりと一体化されている。したがって、とりわけ小さい構造のポンプを作り出すことが可能である。とりわけ、非常に小さい半径方向の直径を有するポンプが、使用の部位へ持っていかれ、次いで、そこで半径方向に拡張させられ、実際のポンプ性能を提供するようになっていると有利である。
【００３１】
ここで、実施形態によれば、ロータは、ポンプロータに接続されており、ポンプロータは、流体を搬送するためのブレード構成を有している。例として、ポンプロータは、実際の磁気ロータの上に装着され得、または、これを半径方向に取り囲むことが可能である。しかし、また、たとえば、磁気ロータがポンプロータの中に型成形され／埋め込まれているという点において、これらが別の方式で相互接続されることも可能である。
【００３２】
さらなる実施形態によれば、ポンプロータは、動作状態において、ステータの中に少なくとも部分的に位置付けされている。したがって、半径方向に積層された配置が、動作状態において提供され、それは、半径方向外向きから出発して中心に向かって、１．ステータ、２．ポンプロータ、３．磁気ロータの通りになっている。ポンプロータおよび磁気的なモータが相互接続されている他の形態では、これは、潜在的に異なることも可能である。
【００３３】
有利な実施形態によれば、ポンプロータは、半径方向に圧縮可能であり、とりわけ、ポンプロータは、半径方向に弾性的に圧縮可能である。ここで、変形例によれば、ポンプロータのブレード構成は、主として弾性的に圧縮可能であり、たとえば、ポンプロータのハブを支える。
【００３４】
本発明によるポンプの異なる変形例が可能であり、本発明によるモータのすべての変形例が、ポンプ用として使用され得る。
【００３５】
本発明は、例示的な実施形態に基づいて、さまざまな図に示され、以降で説明されることとなる。
【図面の簡単な説明】
【００３６】
【図１】ロータおよびステータを有するモータの縦断面の概略図である。
【図２】圧縮された形態になっている図１のモータを示す図であり、ステータとロータが相互に軸線方向に引離されていることを示す図である。
【図３】らせん状にされたまたは曲がりくねったコースの形態の長さの蓄えを備える巻線構成体の個々のワイヤーを、修正された形態で概略的に示す図である。
【図４ａ】軸線方向に視た概略図における巻線構成体の図であり、左側の図において、らせん状にされたリードの形態に圧縮されており、右側の図において拡張させられていることを示す図である。
【図４ｂ】軸線方向に考慮されたときの巻線構成体を示す図であり、左側の図において、曲がりくねった形態のリードに圧縮されており、右側の図において半径方向に拡張させられていることを示す図である。
【図５】複数のサブ巻線を有する巻線構成体を３次元図で示す図であり、複数のサブ巻線は、巻きが解かれた状態で、実質的に菱形または台形の設計を有することを示す図である。
【図６】図５のサブ巻線の個々の巻線のコースを３次元図で概略的に示す図である。
【図７】半径方向に拡張した状態で、巻線構成体の周囲部において、互いに独立したサブ巻線の配置を、軸線方向の視点から概略的に示す図である。
【図８】半径方向に圧縮された状態になっている図７のサブ巻線の配置を示す図である。
【図９】ステータおよびロータを有するモータを通る縦断面を概略的に示す図であり、ロータが、組み立てられて拡張した状態で、カプセル化されていることを示す図である。
【図１０】軸線方向に引き離されて圧縮された状態になっている図９のモータを示す図である。
【図１１】軸線方向に連続して配置されているステータおよびロータを示す図であり、ステータが半径方向に圧縮されており、両方が操作手段を有していることを示す図である。
【図１２】ステータを通る断面を示す図であり、ステータの巻線構成体が、円周方向において４つのサブ巻線へと分割されていることを示す図である。
【図１３】図１２のステータの圧縮された状態を示す図であり、サブ巻線は、半径方向の圧力によって、半径方向内向きに機械的に変化させられたことを示す図である。
【図１４】さらに圧縮された状態になっている図１２および図１３のステータの概略図である。
【図１５】２つの磁石を有するロータの概略図を軸線方向に概略的に示す図である。
【図１６】セグメントへと分割されており、半径方向に圧縮可能である、ロータの磁石の側面図である。
【図１７】軸線方向に分割可能な巻線構成体を有するステータの説明図である。
【図１８】拡張した状態になっているステータの説明図であり、ステータは、その中に配置されているロータと、ロータの上に配置されている圧縮可能なポンプロータとを有することを示す図である。
【図１９】圧縮された状態になっている図１８のデバイスの説明図である。
【図２０】ステータから軸線方向に除去されたポンプロータを有するステータの側面図の説明図である。
【発明を実施するための形態】
【００３７】
図１は、電気モータのステータ２およびロータ１を縦断面で概略的に図示している。さらなるパーツおよび詳細は、明確化のために省略されている。ステータは、概略的に示された円筒形状の巻線構成体を有しており、巻線構成体は、１つ以上のサブ巻線から構成され得る。ロータ１は、少なくとも１つの永久磁石およびハブを有しており、それは、シャフト３に接続されている。ロータ１の磁極、または、ロータ１の１つの磁石／複数の磁石の磁極は、ステータ２の磁界によって駆動され得る。シャフト３は、通常、滑り軸受またはボール軸受内にて、１つ以上の点において回転可能に据えられている。軸受は、たとえば、ステータ２に、または、ステータもしくはモータ全体のハウジング（図示せず）に固定して接続され得る。図１では、ステータは、同心円状におよび同軸にロータ１を取り囲み、ステータは、ここで図示されている半径方向に拡張した状態において、直径Ｄを有しているということを見ることが可能である。
【００３８】
図２は、図１においてすでに図示されたモータの部品、具体的には、ロータ１とステータ２の巻線構成体とを示しており、ロータおよびステータは、軸線方向４に互いから引き離されている。ステータおよびロータは、この状態では、軸線方向に互いに重なり合ってはいない。ステータは、巻線構成体の半径方向の圧縮によって、概して直径ｄまで半径方向に圧縮されており、直径ｄは、ロータ１の外径以下である。
【００３９】
したがって、モータの分割可能性、および、ロータに対するステータの変位可能性に起因して、ロータがステータから除去されるとすぐに、ステータは半径方向に圧縮可能であるということが明らかである。
【００４０】
これに関係なく、および、加えて、ロータも、半径方向に圧縮可能であってもよい。また、この場合では、ステータおよびロータは、組み立てられた状態で一緒に半径方向に圧縮されてもよく、または、相互に軸線方向に変位させられ得、また、両方が互いに別々に半径方向に圧縮され得る。後者の場合では、両方の部品、すなわち、ステータおよびロータの両方が、おおよそ同じ外径まで圧縮可能であることが、必要ではないが、有用である。
【００４１】
図３は、上側領域において、本発明によるモータの巻線構成体の第１のリード５を圧縮された状態で示しており、リードは、らせん状にされた様式で延在している。巻線構成体またはサブ巻線が、らせん状にされた様式で延在するこのリードから形成されている場合には、この巻線構成体またはサブ巻線は、巻線ワイヤー５が拡張されたときには、半径方向に拡張することが可能であり、後で再び半径方向に圧縮され得る。図３の下側領域では、リード６が図示されており、リード６は、圧縮された状態において、曲がりくねった形態を有しており、曲がりくねった形態は、拡張した状態へと移行するときに、拡張させられ得る。
【００４２】
図４ａでは、圧縮された状態においてらせん状にされたリード５が、左側の図において概略的に図示されており、それは、同様に、圧縮された状態において、円形リングの形態で概略的に図示されており、円形リングの形態は、巻線構成体を象徴している。図４ａの右側の図において、ステータの拡張した形態が、軸線方向に視た図で図示されており、巻線リード（単数または複数）は引き伸ばされており、したがって、巻線構成体および／またはサブ巻線は、同様に拡張させられている。図４ａの右側の図に示されたステータは、拡大された直径Ｄを有しており、一方、図４ａの左側の図において図示されている圧縮された状態では、それは、縮小された直径ｄを有している。
【００４３】
図４ｂでは、圧縮されたリード６が、曲がりくねった形態で図示されており、それは、軸線方向に考慮されたときには、円形リング形態で配置されており、それは、ステータの巻線構成体を表している。構成体は、圧縮された外径ｄを有している。図４ｂの右側の図において、同じステータが、半径方向に拡張した状態で図示されており、巻線リードは引き伸ばされており、または、少なくとも、圧縮された状態のときよりもさらに拡張させられている。
【００４４】
ステータの圧縮された状態と拡張した状態との間の移行は、たとえば、力の印加によって実現され得、そのときには、ステータは、半径方向の外部圧力によって、圧縮された形態へと持っていかれ、外部半径方向の圧縮力が打ち消されると、自発的に、弾性的に再び拡張する。
【００４５】
逆に、ステータは、外力の印加なしに縮小された直径を有することも可能であり、また、力の印加によって拡張可能であり得る。
【００４６】
さらなる代替例として、巻線構成体が、形状記憶合金として知られるものから作製されたリードを有することも可能であり、形状記憶合金は、たとえば温度変化が起きた場合には、その形状を変化させ、また、規定された温度範囲において、再現可能な形状をそれぞれ有している。そのような形状記憶合金は、たとえば、ＮｉＴｉ（ニッケル−チタン；ニチノール）、ＮｉＴｉＣｕ（ニッケル−チタン−銅）、ＣｕＺｎ（銅−亜鉛）、ＣｕＺｎＡｌ（銅−亜鉛−アルミニウム）、ＣｕＡｌＮｉ（銅−アルミニウム−ニッケル）、ＦｅＮｉＡｌ（鉄−ニッケル−アルミニウム）、またはＦｅＭｎＳｉ（鉄−マンガン−シリコン）であることが可能である。また、このタイプの合金は、超弾性合金と称することが可能である。
【００４７】
巻線構成体の説明されている特性に加えて、シリコーンエラストマーまたはゴムなどのような弾性材料でできた巻線構成体全体または個々のサブ巻線の型成形も提供され得、それは、それ自体が弾性的に変形可能である。また、巻線構成体の型成形が存在しないことも可能であり、または、非弾性材料でできた型成形が存在することも可能であり、そのときには、個々のサブ巻線の型成形は別々に行われ、サブ巻線は、それぞれの成形材とともに、相互に移動可能である。そのような構成は、より詳細に下記にさらに議論されることとなる。
【００４８】
図５は、実質的に中空円筒形状の巻線構成体を斜視図で示しており、それは、複数のサブ巻線から構成されている。それぞれのサブ巻線は、リードの複数の巻線から構成されており、電圧供給および電流給電のための２つの電気端子を有している。また、巻線構成体は、全体として、端子リードまたは電気端子を有することが可能である。
【００４９】
図示されている巻線構成体のそれぞれのサブ巻線は、巻きが解かれた状態で、菱形の基本形状を有している。個々のサブ巻線は、巻線構成体の円周方向に互いに重なり合う。図５の巻線構成体の個々のサブ巻線７、８は、ステータ巻線構成体に電流を供給するための電気端子９、１０を有している。
【００５０】
図６では、個々のサブ巻線７が、図示されており、巻線リードの個々の巻線に象徴されており、参照記号１１によって指定されている。サブ巻線１１は、電流を供給するための２つの電気的接続部１２、１３を有している。図６では、中空のシリンダーが概略的に図示されており、その周囲部にわたって、部分的に円筒形状のサブ巻線が、互いに重なり合う様式で分配されており、相互に円周方向にオフセットされている。
【００５１】
図７では、巻線構成体の複数のサブ巻線７、８が、軸線方向の視点から概略的に示されている。個々のサブ巻線７、８は、半径方向において外側の部分７ａおよび半径方向において内側の部分７ｂをそれぞれ有しており、それぞれの半径方向において内側の部分は、次のサブ巻線８が上に重ねられており、より具体的には、次のサブ巻線８の半径方向にいて外側の部分が上に重ねられている。このように、サブ巻線の屋根瓦（板葺き）のような順次積層構成が、ステータの円周方向ラインに沿って提供されている。
【００５２】
サブ巻線が相互に移動可能である場合には、これらは、板葺き屋根の板のような様式で互いの上にさらに滑動させられ得、したがって、全体的な構成体の直径、巻線構成体の周囲部が、縮小され得る。そのような圧縮移動の圧縮された状態の例が、図８に示されており、図８では、それぞれの場合において、２つの巻線７、８は、一方が他方の上に滑動させられており、それらが、巻線構成体の円周方向に完全に互いに重なり合うようになっている。相手の上への個々のサブ巻線のこの滑動可能性は、非型成形サブ巻線の場合でも、また、型成形サブ巻線の場合でもともに考えられる。個々のサブ巻線が型成形される場合には、成形材が、それを構成する２つの本体部の相手に対する容易な滑動を可能にすれば有利である。
【００５３】
図９は、半径方向に拡張させられたステータ２およびロータ１を有するモータを縦断面で示しており、それは、中空のシリンダーの形態の包囲構成１４を有しており、包囲構成１４は、ロータの磁石本体部を取り囲み、また、たとえば、軸受１５、１６を担持している。ロータのシャフト３は、軸受１５、１６の中にわずかな摩擦で装着されており、軸受１５、１６は、滑り軸受またはボール軸受として形成され得る。動作の準備ができている拡張させられて組み立てられた状態にある図９によるモータの全体的な構造体の直径は、Ｄによって特定されている。
【００５４】
対照的に、同じ部品（すなわち、包囲構成１４の中にカプセル化されたロータ、および、巻線構成体を有するステータ２）を有する同じモータが、圧縮された状態で図１０に図示されており、ロータがステータの外側に位置付けされるような程度にまで、ステータ２がロータ１に対して軸線方向に変位させられている。次いで、ステータ２は、ロータの外径まで、ロータ１から独立して半径方向に圧縮可能である。
【００５５】
図１１は、ロータ１’およびステータ２’を有するモータの設計を示しており、これらは、軸線方向に互いに引き離された圧縮位置で図示されている。ロータ１’は、包囲構成を有しており、２つの軸受によって支持されているロータの磁石構成体が、包囲構成の中で回転することが可能である。ロータの包囲構成は、円錐形状のテーパー付きの部分１７、および、ストランド形状の操作部品１８への接続部を有しており、操作部品１８は、包囲構成または軸受に固定されており、ステータ２’に対するロータの軸線方向相対移動を可能にする。同時に、ステータ２’は、たとえば、チューブまたはホースの形態の第２の操作部品１９に接続されており、たとえば、操作部品１８が、第２の操作部品１９を通してガイドされ得る。操作部品１８、１９は、モータへの接続部品を一緒に形成しており、操作部品１８、１９は、互いに対するステータおよびロータの相対移動を行うために、および、たとえば、ロータ１’の包囲構成をステータ２’の巻線構成体の中へ挿入することによって、これらを半径方向に拡張させるために、遠隔の場所から一緒に作動させられ得る。
【００５６】
図１２は、それぞれ弾性材料で別々に型成形された４つの別々のサブ巻線２０、２１、２２、２３から構成される特定の巻線構成体を示している。これらのサブ巻線のそれぞれは、中空のシリンダーの一部として形成されており、サブ巻線は、それらの型成形本体部が全体的な中空のシリンダーを形成する状態で組み立てられ得る。
【００５７】
力が巻線構成体の上に外側から半径方向に働かされる場合には、図１３に図示されているような配列構成が提供され、図１３では、個々の型成形本体部およびサブ巻線が半径方向内向きに曲がっている。サブ巻線の個々の型成形本体部は、たとえば一体ヒンジによって、移動可能に互いに接続され得る。図１３に図示されている状態において、巻線構成体は、図１２に図示されている形態のときよりも半径方向にかなり小さいスペースをすでに占有している。さらなる半径方向の圧縮によって、個々のサブ巻線は、半径方向内向きにさらに圧縮され、それは、型成形本体部の変形性によって、追加的に可能にさせられる。完全な圧縮によって、図１４に図示されている形態が提供される。これは、半径方向内向きに作用する圧縮力の打ち消しによって、図１２に図示されている形態へ戻るように自動的に拡張可能であり得、復元力は、たとえば、弾性的に変形させられた型成形本体部によって印加され得、または、巻線リード自身によっても印加され得、または、その両方によって一緒に印加され得る。また、個々のサブ巻線が型成形されていない場合には、巻線リードの対応する変形は、それぞれのサブ巻線の中で可逆的に起こることが可能である。
【００５８】
図１５は、互いの上に直角に配置されている２つの磁石２４、２５を軸線方向の説明図で示しており、それは、巻線構成体の磁界の中で駆動され得る。磁石２４、２５は、ロータのシャフト３に固定して接続されている。
【００５９】
図１６は、表面２６に沿った磁石２４の分割を図示しており、それによって、磁石２４の２つのセグメント２４ａ、２４ｂが作り出され、２つのセグメント２４ａ、２４ｂは、磁石部品をそれぞれ形成する。実線によって図示されている状態にある磁石２４は、直方体の形態を有している。セグメント２４ａがセグメント２４ｂに対して表面２６に沿って軸線方向４に変位させられている配列構成が、点線の様式で示されている。磁石２４の拡張が軸線方向に提供され、また、図１６の右側の図において特定されているように、直径Ｄから直径ｄへの圧縮が半径方向に提供される。示されているロータの構成の結果として、これは、半径方向に圧縮可能であり得、モータは、組み立てられた状態でも、ステータおよびロータの共同の圧縮によって圧縮可能であるようになっているか、または、モータは、単に、軸線方向に引き離された状態にあるステータの半径方向の圧縮によっても圧縮可能であるようになっている。
【００６０】
したがって、モータは、その使用の部位へ持っていかれるために圧縮され得る。たとえば、モータは、血液ポンプのための駆動装置として埋め込み可能であり得、また、血管を通して、圧縮された状態で、患者の身体の中を使用の部位まで変位させられ得る。そこで、モータは、たとえば血液ポンプとして拡張させられ得、そして、モータは、拡張した状態において、必要なトルク、または、ポンプを駆動するために必要なパワーを構築することが可能である。
【００６１】
図１７は、設計変形例を示しており、その設計変形例では、巻線構成体が、複数のサブ巻線２７、２８へと分割されており、複数のサブ巻線２７、２８は、円形リングの形態でそれぞれ構築されており、軸線方向に連続して配置されており、中空円筒形状の巻線構成体を形成している。そのような配置において、円形環状のサブ巻線が傾けられている場合には、巻線手段の断面は、したがって楕円形になっているが、しかし、傾けられていない配置に対して、軸線２９の方向に直径が圧縮されている。これに対して直角に配置されている軸線３０の方向では、直径は同じままである。それにもかかわらず、モータの位置決めにとってより好ましい形態が、傾けられた配置とともに提供され得る。傾きは、モータの位置決めに続く任意のときに逆にされ得る。
【００６２】
図１８は、すでに本明細書で説明された巻線７、８を有する、図７によるステータから構成されるデバイスを示している。半径方向に圧縮可能であるポンプロータ２９が、ロータ１’’と一緒に同じ軸線の周りを回転することができるような方式で、磁気ロータ１’’に接続されており、磁気ロータ１’’は、このステータの中に位置付けされている。例示的な実施形態では、ポンプロータは、弾性材料、好ましくは、超弾性プラスチック材料から形成されており、それは、ポンプロータ２９が、ステータの圧縮の場合につぶれること、および、ステータの拡張の場合に出発形態へと再び戻るように弾性的にまたは超弾性的に拡張することを可能にする。
【００６３】
図１９は、ステータがどのように図８と同様に圧縮するかということを概略的に図示しており、ポンプロータ２９も、同様に圧縮された形態をとっている。ここで、ポンプロータのブレードは、ロータの軸線の周りに折り畳まれ、ポンプロータのハブを支えている。
【００６４】
また、原理的には、ロータ１’’が、ポンプロータ２９とともに、図２０に対応する様式でロータから軸線方向に除去され得るように、デバイスは形成され得る。したがって、ポンプロータ２９およびステータは、軸線方向に連続して配置されている。この状態において、ステータおよびポンプロータは、一緒に圧縮され得、それは、図１９の実施形態と比較して、圧縮された直径のさらなる縮小を可能にする。
【００６５】
ポンプロータは、原理的には、非常に異なる方式で形成され得る。図１８および図１９に示されている弾性または超弾性プラスチック材料から形成される変形例の他に、さまざまな他の変形例が、先行技術、たとえば、米国特許第４，７５３，２２１号、米国特許第５，７４９，８５５号、米国特許第７，３９３，１８１号、米国特許出願公開第２００９／００６２５９７Ａ１号、欧州特許公開第２０４７８７３Ａ１号、米国特許出願公開第２０１１／０２７５８８４Ａ１号、欧州特許公開第２２２９９６５Ａ１号、国際公開２０１０／１４９３９３Ａ１号、欧州特許公開第２２９９１１９Ａ１号、欧州特許公開第２３３８５４０Ａ１号、欧州特許公開第２３３８５４１Ａ１号、欧州特許公開第２３６３１５７号、欧州特許公開第２４０７１８５Ａ１号、欧州特許公開第２４０７１８７Ａ１号、欧州特許公開第２４０７１８６Ａ１号から知られている。
【００６６】
＜付記＞
［１］
ステータ（２、２’）と軸線方向（４）の周りに駆動され得るロータ（１、１’）とを有するモータであって、前記ステータ（２、２’）およびロータ（１、１’）のうちの少なくとも１つ、とりわけ前記ステータ（２、２’）は、電流を供給され得る巻線構成体（７、８、２０、２１、２２、２３、２７、２８）を有しており、半径方向に圧縮可能および拡張可能であることを特徴とするモータ。
［２］
上記［１］に記載のモータであって、前記ロータ（１、１’）およびステータ（２、２’）は、第１の位置と第２の位置との間で相互に前記軸線方向（４）に変位させられ得、前記第１の位置では、前記ステータ（２、２’）が半径方向に圧縮可能であり、前記第２の位置では、前記ステータが半径方向に拡張させられていることを特徴とするモータ。
［３］
上記［１］または［２］に記載のモータであって、前記ロータ（１、１’）は、前記半径方向に圧縮可能であることを特徴とするモータ。
［４］
上記［３］に記載のモータであって、前記ロータ（１、１’）は、複数の磁石部品（２４、２４ａ、２４ｂ、２５）を有しており、前記複数の磁石部品（２４、２４ａ、２４ｂ、２５）は、相互に、とりわけ、前記軸線方向（４）に可逆的に移動可能であることを特徴とするモータ。
［５］
上記［１］から［４］のいずれか１項に記載のモータであって、前記巻線構成体（７、８、２０、２１、２２、２３、２７、２８）は、可逆的に変形可能な少なくとも１つのサブ巻線（７、８、２０、２１、２２、２３、２７、２８）を有していることを特徴とするモータ。
［６］
上記［１］から［５］のいずれか１項に記載のモータであって、前記巻線構成体（７、８、２０、２１、２２、２３、２７、２８）は、相互に可逆的に変位可能な少なくとも２つのサブ巻線（７、８、２０、２１、２２、２３、２７、２８）を有していることを特徴とするモータ。
［７］
上記［６］に記載のモータであって、前記サブ巻線は、板葺き屋根の板のような様式で、一方が他方の上に滑動させられ得ることを特徴とするモータ。
［８］
上記［１］から［７］のいずれか１項に記載のモータであって、前記巻線構成体（７、８、２０、２１、２２、２３、２７、２８）は、弾性材料で型成形された少なくとも１つのサブ巻線を有していることを特徴とするモータ。
［９］
上記［１］から［８］のいずれか１項に記載のモータであって、前記巻線構成体の異なるサブ巻線（７、８、２０、２１、２２、２３、２７、２８）が、別々のサブ本体部の中に型成形されており、それらは、相互に移動可能であることを特徴とするモータ。
［１０］
上記［１］から［９］のいずれか１項に記載のモータであって、前記巻線構成体（７、８、２０、２１、２２、２３、２７、２８）は、形状記憶合金から少なくとも部分的に構成されるリード（５、６）を有していることを特徴とするモータ。
［１１］
上記［１］から［１０］のいずれか１項に記載のモータであって、前記巻線構成体（７、８、２０、２１、２２、２３、２７、２８）は、相互に移動可能な部品同士の間に画定される曲げ領域および／またはねじれ領域を有していることを特徴とするモータ。
［１２］
上記［１］から［１１］のいずれか１項に記載のモータであって、前記モータが、接続部品（１８、１９）を含み、前記接続部品（１８、１９）は、前記モータから離れるように延在しており、前記接続部品（１８、１９）によって、前記ロータ（１、１’）およびステータ（２、２’）が、相互に前記軸線方向（４）に変位可能であることを特徴とするモータ。
［１３］
中空のカテーテルと、前記中空のカテーテルの中に圧縮されて配置されている上記［１から１２のいずれか１項に記載のモータとを有することを特徴とする埋め込み式構成体。
［１４］
上記［１］から［１２］のいずれか１項に記載のモータを位置決めするための方法であって、前記ステータ（２、２’）および前記ロータ（１、１’）が、導管を通して目標位置まで変位させられ、少なくとも前記ステータは、半径方向に圧縮されていること、ならびに、少なくとも前記ステータは、その後に半径方向に拡張させられることを特徴とする方法。
［１５］
上記［１４］に記載の方法であって、前記ステータ（２、２’）およびロータ（１、１’）が前記目標位置へと変位させられると、前記ステータおよび前記ロータは、相互に軸線方向（４）に変位させられることを特徴とする方法。
［１６］
モータを含有するポンプ、とりわけ、血液ポンプであって、前記モータは、ステータ（２、２’）と軸線方向（４）の周りに駆動され得るロータ（１、１’）とを有しており、前記ステータ（２、２’）および前記ロータ（１、１’）のうちの少なくとも１つ、とりわけ前記ステータは、電流を供給され得る巻線構成体（７、８、２０、２１、２２、２３、２７、２８）を有しており、半径方向に圧縮可能および拡張可能であることを特徴とするポンプ。
［１７］
上記［１６］に記載のポンプであって、前記ロータは、ポンプロータに接続されており、前記ポンプロータは、流体を搬送するためのブレード構成を有していることを特徴とするポンプ。
［１８］
上記［１７］に記載のポンプであって、前記ポンプロータは、動作状態において、前記ステータの中に少なくとも部分的に位置付けされていることを特徴とするポンプ。
［１９］
上記［１７］または［１８］に記載のポンプであって、前記ポンプロータは、半径方向に圧縮可能であることを特徴とするポンプ。
［２０］
上記［１７］から［１９］のいずれか１項に記載のポンプであって、前記ポンプロータは、半径方向に弾性的に圧縮可能であることを特徴とするポンプ。
［２１］
圧縮可能なポンプロータを有するポンプであって、前記ポンプロータは、上記［１］から［１２］のいずれか１項に記載のモータの中に配置されていることを特徴とするポンプ。
【図１】
2019195267.tif 000003
【図２】
2019195267.tif 000004
【図３】
2019195267.tif 000005
【図４ａ】
2019195267.tif 000006
【図４ｂ】
2019195267.tif 000007
【図５】
2019195267.tif 000008
【図６】
2019195267.tif 000009
【図７】
2019195267.tif 000010
【図８】
2019195267.tif 000011
【図９】
2019195267.tif 000012
【図１０】
2019195267.tif 000013
【図１１】
2019195267.tif 000014
【図１２】
2019195267.tif 000015
【図１３】
2019195267.tif 000016
【図１４】
2019195267.tif 000017
【図１５】
2019195267.tif 000018
【図１６】
2019195267.tif 000019
【図１７】
2019195267.tif 000020
【図１８】
2019195267.tif 000021
【図１９】
2019195267.tif 000022
【図２０】
2019195267.tif 000023
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
軸線方向の周りに駆動され得るロータと、
電流が供給され得る巻線構成体を有するステータと、を有し、
前記ステータは、半径方向に圧縮可能および拡張可能であり、
前記巻線構成体は、少なくとも１つのサブ巻線を有し、前記サブ巻線は可逆的に変形可能である、
ことを特徴とするモータ。
【請求項２】
請求項１に記載のモータであって、前記ロータはポンプロータに、前記ロータと前記ポンプロータが同じ前記軸線方向の周りを一緒に回転するように接続されることを特徴とするモータ。
【請求項３】
請求項２に記載のモータであって、前記ポンプロータは半径方向に圧縮可能および拡張可能であることを特徴とするモータ。
【請求項４】
請求項２または３に記載のモータであって、前記ロータと前記ステータは、前記ステータが前記半径方向に圧縮可能である第１の位置と、前記ステータが前記半径方向に拡張された第２の位置との間で、前記軸線方向に相対的に変位可能であることを特徴とするモータ。
【請求項５】
請求項２から４のいずれか１項に記載のモータであって、前記ステータと前記ポンプロータは、前記ステータと前記ポンプロータが前記半径方向に一緒に圧縮可能であるように前記軸線方向に連続して配置されることを特徴とするモータ。
【請求項６】
請求項２から５のいずれか１項に記載のモータであって、前記ポンプロータは、前記ポンプロータが圧縮されると、前記ロータの前記軸線周りに折り畳まれるブレードを含むことを特徴とするモータ。
【請求項７】
請求項２から６のいずれか１項に記載のモータであって、前記ポンプロータは、弾性または超弾性プラスチック材料から形成されることを特徴とするモータ。
【請求項８】
請求項２から７のいずれか１項に記載のモータであって、前記ポンプロータは、前記ステータが圧縮されるとつぶれるように構成されることを特徴とするモータ。
【請求項９】
請求項２から８のいずれか１項に記載のモータであって、前記ポンプロータは、前記ステータが拡張すると弾性拡張または超弾性拡張するように構成されることを特徴とするモータ。
【請求項１０】
請求項１から９のいずれか１項に記載のモータであって、前記ロータは、可逆的に相対的に移動可能である複数の磁石部品を有することを特徴とするモータ。
【請求項１１】
請求項１から１０のいずれか１項に記載のモータであって、前記巻線構成体は、可逆的に相対的に変位可能である少なくとも２つのサブ巻線を有し、前記サブ巻線は、任意で一方を他方の上に滑動させてもよいことを特徴とするモータ。
【請求項１２】
請求項１から１１のいずれか１項に記載のモータであって、前記巻線構成体は、弾性材料で型成形された少なくとも１つのサブ巻線を有していることを特徴とするモータ。
【請求項１３】
請求項１から１２のいずれか１項に記載のモータであって、前記巻線構成体は少なくとも２つのサブ巻線を有し、前記少なくとも２つのサブ巻線は、別々のサブ本体部の中に型成形され、相対的に移動可能であることを特徴とするモータ。
【請求項１４】
請求項１から１３のいずれか１項に記載のモータであって、前記巻線構成体は、形状記憶合金から少なくとも部分的に構成されるリードを有していることを特徴とするモータ。
【請求項１５】
請求項１から１４のいずれか１項に記載のモータであって、前記巻線構成体は、相対的に移動可能な複数の部品を有し、前記複数の部品同士の間に画定される曲げ領域および／またはねじれ領域を有していることを特徴とするモータ。
【請求項１６】
請求項１から１５のいずれか１項に記載のモータであって、前記モータが、さらに接続部品を含み、前記接続部品は、前記モータから離れるように延在しており、前記接続部品によって、前記ロータおよび前記ステータが、相対的に前記軸線方向に変位可能であることを特徴とするモータ。
【請求項１７】
中空のカテーテルと、前記中空のカテーテルの中に圧縮されて配置されている請求項１から１６のいずれか１項に記載のモータとを有することを特徴とする埋め込み式構成体。
【請求項１８】
ポンプであって、
ステータとロータとを有するモータを含み、
前記ロータは軸線方向の周りに駆動可能であって、
前記ステータは、電流を供給され得る巻線構成体を有しており、半径方向に圧縮可能および拡張可能であって、前記モータは接続部品を有し、前記接続部品は、前記モータから離れるように延在しており、前記接続部品によって、前記ロータおよび前記ステータが、相対的に前記軸線方向に変位可能である、
ことを特徴とするポンプ。
【請求項１９】
請求項１８に記載のポンプであって、前記ロータはポンプロータに、前記ロータと前記ポンプロータが同じ前記軸線方向の周りを一緒に回転するように接続され、前記ステータと前記ポンプロータのそれぞれが半径方向に圧縮可能および拡張可能であることを特徴とするポンプ。
【請求項２０】
請求項１９に記載のポンプであって、前記ポンプロータは、流体を搬送するためのブレード構成を有していることを特徴とするポンプ。
【請求項２１】
請求項１９または２０に記載のポンプであって、前記ブレード構成は、前記ポンプロータが圧縮されると、前記ロータの前記軸線の周りに折り畳まれることを特徴とするポンプ。
【請求項２２】
請求項１９から２１のいずれか１項に記載のポンプであって、前記ポンプロータは、動作状態において、前記ステータの中に少なくとも部分的に位置付けされていることを特徴とするポンプ。
【請求項２３】
請求項１９から２２のいずれか１項に記載のポンプであって、前記ステータと前記ポンプロータは、前記ステータと前記ポンプロータが前記半径方向に一緒に圧縮可能であるように前記軸線方向に連続して配置されることを特徴とするポンプ。
【請求項２４】
請求項１９から２３のいずれか１項に記載のポンプであって、前記ポンプロータは、弾性または超弾性プラスチック材料から形成されることを特徴とするポンプ。
【請求項２５】
請求項１９から２４のいずれか１項に記載のポンプであって、前記ポンプロータは、前記ステータが圧縮されるとつぶれるように構成されることを特徴とするポンプ。
【請求項２６】
請求項１９から２５のいずれか１項に記載のポンプであって、前記ポンプロータは、前記ステータが拡張すると弾性拡張または超弾性拡張するように構成されることを特徴とするポンプ。
【請求項２７】
請求項１８から２６に記載のポンプであって、当該ポンプが血液ポンプであるポンプ。